(57)【要約】【課題】  ヘッドホン装置装着時の装着感を改善したヘッドホンバンドを提供する。【解決手段】  ヘッドホン装置１１のヘッドホンバンド１２を前後の２本のバンド１２Ｆ，１２Ｂと成し、この前後バンドに前後（外側）方向に向く偏倚力が与えられる様なヘッドホンバンド１２とし、この２本の前後バンド間に軟質部材で構成したヘッドクッション２０を架橋させる。【選択図】        図１
2005311630.tif 000002
【特許請求の範囲】
【請求項１】
両端部に吊下枠が取付けられたヘッドホンバンドと、
上記吊下枠に揺動可能に枢着された一対のスピーカユニットとを有し、
上記ヘッドホンバンドは頭部載置部が第１および第２のバンドで構成され、該第１および第２のバンド間で互いに外側に向くテンションが与えられるように構成したことを特徴とするヘッドホン装置。
【請求項２】
前記第１および第２のバンド間に軟素材からなるヘッドクッションを架張したことを特徴とする請求項１記載のヘッドホン装置。
【請求項３】
前記第１および第２のバンドに細溝を形成し、該細溝内にヘッドクッションを挿入固定したことを特徴とする請求項１または請求項２記載のヘッドホン装置。
【請求項４】
前記ヘッドクッションをネットあるいは布の軟素材で構成したことを特徴とする請求項１乃至請求項３記載のいずれか１項記載のヘッドホン装置。
【請求項５】
前記ヘッドクッションは前記第１および第２のバンド間の方向に伸びの少ない軟素材で構成したことを特徴とする請求項２乃至請求項４のいずれか１項記載のヘッドホン装置。
【請求項６】
前記ヘッドクッションに係止部材を固定し、該係止部材をエラストマと成したことを特徴とする請求項２乃至請求項５のいずれか１項記載のヘッドホン装置。
【請求項７】
前記ヘッドクッションをポリエステルで構成したことを特徴とする請求項２乃至請求項６のいずれか１項記載のヘッドホン装置。
【請求項８】
前記ヘッドホン装置にマイクロホンを付加したことを特徴とする請求項１乃至請求項７のいずれか１項記載のヘッドホン装置。
【発明の詳細な説明】
【技術分野】
【０００１】
本発明は、高音質で大型のヘッドホン装置のヘッドホンバンドの改良に係わり、特に、良好な装着感を得る様に成したヘッドホンバンドを有するヘッドホン装置に関する。
【背景技術】
【０００２】
従来から、ヘッドホン装置のヘッドホンバンドを炭素繊維強化プラスチックで形成し、フレーム等の支持部材をマグネシウム合金で形成したヘッドホン装置が特許文献１に開示されている。
【０００３】
図７（Ａ）（Ｂ）は特許文献１に開示されたヘッドホン装置およびヘッドホン装置の装着状態を示す斜視図を示すもので、図７（Ａ）に於いて、逆Ｕ字状に形成されるヘッドホンバンド１の両端に、支持部材２及び支持アーム３を介してヘッドホンユニット４が回転自在に配置されている。
【０００４】
上記ヘッドホンバンド１は、ばね性を有した板体を逆Ｕ字状に形成されている。このようにヘッドホンバンド１にバネ性を要するのは、頭部に装着する際にヘッドホンバンド１の両側に取付けられるヘッドホンユニット４に側圧を付与し、これらヘッドホンユニット４で頭部を押圧支持するためである。
【０００５】
上記ヘッドホンバンド１は、炭素繊維強化プラスチック（ＣＦＲＰ）より形成されている。この炭素繊維強化プラスチックは、熱硬化性樹脂を含浸させた炭素繊維を積層して形成したものである。このようにヘッドホンバンド１の素材として炭素繊維を用いるのは、第１に装置全体としての軽量化を図るためである。これは炭素繊維強化プラスチックはスチール等の金属性材料よりも比重が軽いことに基づく。すなわち、炭素繊維強化プラスチックはその比重を０．６から０．７程度とすることができ、金属性材料に比して極めて軽い重量となすことができる。
【０００６】
また、上記ヘッドホンバンド１は両端に支持部材２，２が取付けられている。この支持部材２は支軸で支持アーム３を回動自在に枢支して、支持アーム３に取付けられるヘッドホンユニット４を支持するものである。この支持部材２は、マグネシウム系合金により形成されている。この支持部材２の材料としてマグネシウム系合金を用いるのは、マグネシウム系合金は比重が１．７程度であり比較的軽量で強度が強く、さらに音響振動の減衰特性も良好だからである。従って、支持部材２にマグネシウム系合金を用いることにより、ヘッドホン装置全体としての重量を軽くすることができる。
【０００７】
上述のように構成されたヘッドホンバンド１に対して、図７（Ａ）に示すようにサスペンダー８が取付けられている。すなわち、サスペンダー８の両端がヘッドホンバンド１の両側に取付けられる両支持部材２，２の開口部５，５からそれぞれヘッドホンバンド１内に引き込まれてバネ部材に連結され、サスペンダー８の中途部が図７（Ｂ）に示す様に人の頭部の上で頭部支持部６としてヘッドホンバンド１に対して内方側に弦となるように掛け渡されている。
そして、このサスペンダー８はバネ部材により常時サスペンダー８の頭部支持部６をヘッドホンバンド１内に両端側から引き込む方向に一定のテンションを持って引張り付勢されている。
【０００８】
しかし、上述のヘッドホン装置によると、ヘッドホンバンド１や支持部材２の軽量化を図っているが、サスペンダー８を収納する支持部材２のバネ部材等が増えることで重量が増加し、また、サスペンダー８自体が剛性を持って、ヘッドホンユニット４に固定されていないことによって図８の側面図に示すようにヘッドホン装置の装着時にサスペンダー８がヘッドホンユニット４に対し、時計方向（ＣＷ）あるいは反時計方向（ＣＣＷ）に揺動し、このような不安定さがヘッドホン装置の装着感を損なう問題があった。
【０００９】
さらに、サスペンダー８をバネ部材を用いて頭部７を押圧するような力が加わるため、頭頂に違和感を生じるだけでなく、側頭部を狭着するため耳に対する側圧も大きくなり装着感を阻害する問題を有していた。
【特許文献１】実公平７−１５２６５号公報（図１）
【発明の開示】
【発明が解決しようとする課題】
【００１０】
本発明が解決しようとする課題は、ヘッドホン装置の装着時、サスペンダーやサスペンダーを引張るバネ部材によって側頭部や両耳に押圧力や側圧力が加わるために生ずる装着感の悪さと、サスペンダーの頭の前後方向に揺動する不安定さによる装着感の悪さを改善することを目的とするものである。
【課題を解決するための手段】
【００１１】
本発明の第１のヘッドホン装置は、両端部に吊下枠が取付けられたヘッドホンバンドと、吊下枠に揺動可能に枢着された一対のスピーカユニットとを有し、ヘッドホンバンドは頭部載置部が第１および第２のバンドで構成され、第１および第２のバンド間で互いに外側に向くテンションが与えられるように構成させたものである。
【００１２】
本発明の第２のヘッドホン装置は第１の発明に於いて、第１および第２のバンド間に軟素材からなるヘッドクッションを架張したことを特徴とするものである。
【発明の効果】
【００１３】
本発明のヘッドホン装置によると、装着時に軟質のヘッドクッションが頭部に当接するため感触の良さと、装着安定性が両立し、ヘッドクッションを緩みなくヘッドホンバンドに装着可能なものが得られるという利点がある。
【発明を実施するための最良の形態】
【００１４】
本発明のヘッド装置では２本のヘッドホンバンド間に所定の外向きのテンションが与えられる様に成し、該２本のヘッドホンバンド間にヘッドクッションを架橋させることで常に外側に引張られて、頭部に当接した時に頭の形状になじんだ装着感の良い従来のサスペンダーにないヘッドホン装置を実現させたものである。
【００１５】
以下、本発明の１形態例のヘッドホン装置を図１乃至図５によって詳記する。
【００１６】
図１は本発明のヘッドホン装置の外観図、図２は本発明のヘッドホン装置の装着状態を示す側面図、図３は本発明のヘッドホン装置に用いるヘッドホンバンドのヘッドクッション装着状態説明図およびヘッドホンバンドの平面図、図４はヘッドクッションの１形態例を示す斜視図、図５は、本発明のヘッドホン装置のヘッドホンバンドにヘッドクッションを固定する方法を説明するための要部拡大断面図である。
【００１７】
図１（Ａ）はヘッドホン装置の平面図、図１（Ｂ）は右側面図を示すものである。図１（Ａ）（Ｂ）に於いて、ヘッドホン装置１１は弾力性のある軽量なジュラルミンあるいはマグネシウム合金等の金属部材あるいはカーボンコンポジット材等から成るヘッドホンバンド１２と、ドライバユニットを含む左右のヘッドホンユニット１３Ｌ，１３Ｒとで構成される。
【００１８】
左右ヘッドホンユニット１３Ｌ，１３Ｒを構成するドライバユニット（図示せず）は通常の例えば、ダイナミック型のスピーカ構造と成され、左右バックハウジング１９Ｌ，１９Ｒと左右バッフル部１７Ｌ，１７Ｒ間に配設され、これら各部材は左右フレーム１４Ｌ，１４Ｒ内に保持されている。
【００１９】
左右フレーム１４Ｌ，１４Ｒは図１（Ａ）（Ｂ）および図２の装着状態図に示されている様にチタン合金、マグネシウム合金等の軽量な金属部材から成り、この左右フレーム１４Ｌ，１４Ｒは略円環状に形成した丸枠１４Ａにドーム状に形成したブリッジ１４Ｂを架橋させ、このブリッジ１４に穿った透孔に左右バックハウジング１９Ｌ，１９Ｒを装着させるように成されている。丸枠１４Ａの前方の耳側には緩衝部材をリング状に成形し、この緩衝部材をバックスキン等で覆った外皮から成る左右イヤパット１８Ｌ，１８Ｒが固定されている。
【００２０】
左右吊下枠１５Ｌおよび１５Ｒはマグネシウム合金等の軟合金をフレーム１４の丸枠１４Ａの外周の半円部分を覆うように略半円状に形成し、半円状の両下端に設けた支軸２１，２１を中心にフレーム１４の丸枠１４Ａに揺動可能に枢着されている。
【００２１】
この半円状の左右吊下枠１５Ｌ，１５Ｒの略中心位置には同じくマグネシウム合金等の軟合金で形成した左右バンド調整部１６Ｌ，１６Ｒが固定あるいは左右吊下枠１５Ｌ，１５Ｒと一体に成型されている。
【００２２】
これら左右バンド調整部１６Ｌ，１６Ｒに略楕円状で左右両端が下方に折り曲げられた舟型に成された軽合金、あるいはカーボンコンポジット（ＣＦＲＰ）で構成したヘッドホンバンド１２を挟着し、図１（Ｂ）で矢印Ａ−Ａで示す上下方向にその高さを微調整可能と成されている。
【００２３】
上述の舟型に成型したヘッドホンバンド１２の左右の舟縁に対応する前後の２本のヘッドホンバンド１２Ｆ，１２Ｂ間に例えばネット状のヘッドクッション２０を架橋させる。
【００２４】
図２は図１に示したヘッドホン装置１１を人の頭７に装着させた側面図を示すもので、頭部７と対応する前後ヘッドホンバンド１２Ｆ，１２Ｂ部分は後述するも、ヘッドクッション２０の前後縁に設けたゴム等の緩衝性の有る縁部材２０Ａ等で覆われているため、固い軽合金の前後バンド１２Ｆ，１２Ｂが直接頭７に当接しないので、ヘッドホンバンド１２による当たりを軟質材料のクッションによって和らげることができる。
【００２５】
上述のヘッドホンバンド１２にヘッドクッション２０を装着する方法を図３乃至図５によって詳記する。図３（Ａ）は図１のヘッドクッション２０を取り付けない状態のヘッドホンバンド１２の平面図、図３（Ｂ）はヘッドクッションを取り付けた状態の平面図、図３（Ｃ）はヘッドホンバンドにヘッドクッションを取り付けた状態を下側（頭側）から見た平面図である。
【００２６】
図３（Ａ）に示す様に略舟型で左右両端が下方に図２に示す様に延設された前後バンド１２Ｆ，１２Ｂの略中心位置には縁部材２０Ａを挿通固定させるための弓状の細溝２５が形成されている。
【００２７】
ヘッドクッション２０は例えば図４に示す様に構成することができる。図４でヘッドクッション２０はポリエステル繊維から成る糸を格子状に織ったネットから成る舟型のネット部２０Ｂと、前後（長辺側）に熱可塑性エラストマあるいはゴムといった縁部材２０Ａを糸等で縫い付けて固定する。勿論、これらの結合方法は適宜選択可能で、例えば接着剤等で接合してもよい。また、ポリエステルの縦糸は短辺方向（図４Ｂ−Ｂ方向）に伸びにくい糸を用いて編みこまれる。
【００２８】
図４に示したヘッドクッション２０のヘッドホンバンド１２への取付時の短辺方向の寸法ｗ2 〜ｗ3 は例えば図３（Ａ）に於ける前後バンド１２Ｆ，１２Ｂ間の短辺方向の寸法ｗ1 〜ｗ2 に比べて、小さい目に作製されている。
【００２９】
このようなヘッドクッション２０の図２のＣ部拡大断面図を図５（Ａ）に示す。また図３（Ｂ）（Ｃ）に示した平面図の様にヘッドクッション２０をヘッドホンバンド１２に装着するには図３（Ａ）の状態にあるヘッドホンバンド１２の前後バンド１２Ｆ，１２Ｂの一方の細溝２１Ｂ内に図５（Ａ）に示す様にヘッドクッション２０の縁部材２０Ａの先端を挿入固定する。
【００３０】
次に図４に示すヘッドクッション２０を図３（Ｃ）の様に前バンド１２Ｆの下側から前バンドを縁部材２０Ａを巻き込む様に上側に持ち来たし、図３（Ａ）に示す前後バンド１２Ｆ，１２Ｂの幅方向の寸法ｗ1 ，ｗ2 が挟まる様に指等でＤ−Ｄ方向に押圧力を加えながら、図５（Ａ）の様に前バンド１２Ｆの細溝２１Ｆ内に縁部材２０Ａの先端を挿入固定させる。
【００３１】
次に、Ｄ−Ｄ方向に加えた押圧力を離せばヘッドホンバンド１２の図２で示す下方に折り曲げられた前後バンドの接合部分で付与される外側方向（Ｄ−Ｄと逆方向）に前後バンド１２Ｆ，１２Ｂを拡げようとするバネ力によって前後バンド１２Ｆ，１２Ｂは拡がるため、小さめに作られたヘッドクッション２０のネット部２０Ｂは押し拡げられて図３（Ｂ）に示す様にネット部２０Ａは伸張した状態で前後バンド１２Ｆ，１２Ｂ上に保持されることになる。尚、図５（Ａ）で２３はネット部２０Ｂと縁部材２０Ａとの縫目部分の固定部を示す。
【００３２】
図５（Ｂ）はヘッドホンバンド１２へのヘッドクッションの他の構成を示すもので図５（Ａ）ではヘッドクッション２０をネット部２０Ｂと縁部材２０Ａを別個に形成したが、図５（Ｂ）の場合はネット部２０Ｂを布部材とし、縁部材２０Ａと一体に成形した場合を示す。この場合の布部材としては縦糸に伸縮性の少ない糸を選択するのを可とする。また皮等のバックスキンを用いることも出来る。
【００３３】
上述の構成ではヘッドホン装置について説明したが図６に示す様にマイクロホン４０を付加したヘッドセットのヘッドホンバンド１２に本発明を適用し得ることは明らかである。
【００３４】
本発明のヘッドホン装置によれば、ヘッドクッションをヘッドホンバンドに組み込み後に発生するヘッドホンバンドの復元力によってヘッドクッションが一定の張力を持って固定される。これにより頭部に装着した際に硬質材料のヘッドホンバンドが直接頭部に当たることがなく、ヘッドクッションの緩衝力のある縁部材が頭部に当たるため頭への押圧による圧迫力が大幅に改善され、さらにサスペンダーとヘッドホンバンドの間の支持剛性が低いことで生ずる装着上の不安定さが改善されたものが提供できる利点を有する。
【図面の簡単な説明】
【００３５】
【図１】本発明のヘッドホン装置の正面および側面図である。
【図２】本発明のヘッドホン装置の装着状態を示す側面図である。
【図３】本発明のヘッドホン装置に用いるヘッドホンバンドおよびヘッドホンバンドにヘッドクッションを架橋した状態の平面図である。
【図４】本発明のヘッドホン装置に用いるヘッドクッションを示す斜視図である。
【図５】本発明のヘッドホン装置のヘッドホンバンドにヘッドクッションを挿入する方法を説明するための要部側断面図である。
【図６】本発明のヘッドホン装置の他の形態例を示す斜視図である。
【図７】従来のヘッドホン装置およびヘッドホン装置の装着状態を示す斜視図である。
【図８】従来のヘッドホン装置の側面図である。
【符号の説明】
【００３６】
１１‥‥ヘッドホン装置、１２‥‥ヘッドホンバンド、１２Ｆ‥‥前バンド、１２Ｂ‥‥後バンド、１３Ｌ，１３Ｒ‥‥ヘッドホンユニット、１４Ｌ，１４Ｒ‥‥フレーム、１４Ａ‥‥丸枠、１４Ｂ‥‥ブリッジ、１５Ｌ，１５Ｒ‥‥吊下枠、１８Ｌ，１８Ｒ‥‥イヤパット、１９Ｌ，１９Ｒ‥‥バックハウジング、２０‥‥ヘッドクッション、２０Ａ‥‥縁部材、２０Ｂ‥‥ネット部、２０Ｃ‥‥布部材
【図１】
2005311630.tif 000003
【図２】
2005311630.tif 000004
【図３】
2005311630.tif 000005
【図４】
2005311630.tif 000006
【図５】
2005311630.tif 000007
【図６】
2005311630.tif 000008
【図７】
2005311630.tif 000009
【図８】
2005311630.tif 000010